(57)【特許請求の範囲】
【請求項１】
記録媒体を備えた他の装置との間でタイマー予約に関する情報の送信および受信を行うＡＶ機器であって、
所望の時間に前記記録媒体にＡＶ信号を記録するためのタイマー予約の設定要求と、タイマー予約の削除要求と、を生成するタイマー予約部と、
ネットワークを介して前記タイマー予約部で生成した前記設定要求を前記他の装置に対して送信し、前記設定要求に対してタイマー予約が設定できるか否かを含んだ応答を前記他の装置から受信する通信部と、を備え、
前記通信部は、
前記他の装置において前記設定要求で要求した前記ＡＶ信号を記録する前記所望の時間と重複する時間に他のタイマー予約が設定されている場合は、時間が重複している旨を、現時点では前記タイマー予約が設定できない旨を含む応答と共に受信し、
タイマー予約の削除が指示された場合は前記削除要求を、前記ネットワークを介して前記他の装置へ送信すること、
を特徴とするＡＶ機器。
【請求項２】
記録媒体を備えた他の装置との間でタイマー予約に関する情報の送信および受信を行うＡＶ予約録画設定方法であって、
所望の時間に前記記録媒体にＡＶ信号を記録するためのタイマー予約の設定要求を生成し、
ネットワークを介して生成した前記設定要求を前記他の装置に対して送信し、
前記他の装置から、前記設定要求に対してタイマー予約が設定できるか否かを含んだ応答を受信し、
前記他の装置において前記設定要求で要求した前記ＡＶ信号を記録する前記所望の時間と重複する時間に他のタイマー予約が設定されている場合は、時間が重複している旨を、現時点では前記タイマー予約が設定できない旨を含む応答と共に受信し、
タイマー予約の削除が指示された場合は、タイマー予約の削除要求を生成し、生成した前記削除要求を前記ネットワークを介して前記他の装置に対して送信する、
ことを特徴とするＡＶ予約録画設定方法。
【発明の詳細な説明】
【技術分野】
【０００１】
本発明は、少なくとも２つの音響機器、映像機器等のＡＶ機器がバス接続されてなる音響及び映像機器システム（以下、ＡＶ機器システム）の技術に関するものであり、特にＡＶ機器システムにあって、複数のＡＶ機器が関連して動作させるときに、その関連するＡＶ機器の使用を確保する機器使用技術に関するものである。
【背景技術】
【０００２】
現在、ビデオテープレコーダー（以下、ＶＴＲ）、テレビ受信機（以下、ＴＶ）などの
ＡＶ機器や情報処理装置をデータや制御信号を混在させて通信することができる制御バスで接続し、機器間でデータや制御信号を送受信する通信システムとして、ＩＥＥＥ１３９４シリアルバスやＵＳＢ（Ｕｎｉｖｅｒｓａｌ Ｓｅｒｉａｌ Ｂｕｓ）を用いた通信システムが提案されている。ＩＥＥＥ１３９４シリアルバスは、デジタルＡＶ信号のようなデータを一定の転送レートで連続的に伝送する同期（Ｉｓｏｃｈｒｏｎｏｕｓ）転送と、接続制御コマンドなどの制御信号を必要に応じて伝送する非同期（Ａｓｙｎｃｈｒｏｎｏｕｓ）転送の両方を行うことができる。また、ＵＳＢは、前記同期転送と、メッセージの送受信に使用されるコントロール転送、転送レートの保証はされないが大量のデータ転送に使用されるバルク転送などがある。
【０００３】
ＩＥＥＥ１３９４シリアルバスやＵＳＢを用いたシステムでは、各機器の接続形態に応じて自動的にノードＩＤが割り付けられる。また、システムに新たに機器を追加、あるいはシステムから機器を抜いたりすると、バスリセットがかかり、新たな接続形態に対応して再度自動的にノードＩＤの割り付けが行われる。
【０００４】
さらに、ＩＥＥＥ１３９４シリアルバス上で、各種のＡＶ機器を外部からコントロールするための制御信号「ＡＶ／Ｃ Ｄｉｇｉｔａｌ ＩｎｔｅｒｆａｃｅＣｏｍｍａｎｄ Ｓ
ｅｔ」に関する規格化が進んでいる。
【０００５】
この様な状況下で、各種のＡＶ機器間をＩＥＥＥ１３９４シリアルバスやＵＳＢで接続し、データや制御信号を通信するシステムが構築されると、任意のＡＶ機器が他のＡＶ機器をコントロールすることが考えられる。その代表的な機能の一つとして、機器の使用を確保する機能、例えば録画や再生のタイマー予約機能が考えられる。
【発明の概要】
【発明が解決しようとする課題】
【０００６】
しかし、例えば従来のタイマー予約機能は、関係するＡＶ機器それぞれに対して、操作者がタイマー予約操作を行い、各ＡＶ機器は他のＡＶ機器の動作に一切関与することなく
、設定時間が来たら一方のＡＶ機器は、相手のＡＶ機器の使用状態に関係なく画像情報や音声情報といったＡＶデータを出力する、あるいは記録開始といった動作を実行するのみであった。従って、従来、タイマー予約を設定する場合、各々の機器に対して操作者自身が予約時間に動作可能であるか否かをチェックする必要があった。さらに、衛星放送番組のような有料番組をタイマー録画する際に、その番組の予期しない時間延長が発生した場合、その衛星放送受信機自体はその事態に対応できても、その番組を録画するＶＴＲ側は予め設定された終了時間が来ると、予期しない時間延長が発生し、録画時間を延長したい場合であっても録画を終了してしまっていた。
【０００７】
本発明は、このような問題点を解決するために、複数の機器が連携して簡単にタイマー予約を行ったり予約管理を行う二とのできるＡＶ機器使用技術を提供することを目的とする。
【課題を解決するための手段】
【０００８】
上述の課題は、例えば特許請求の範囲に記載の構成をとることで解決できる。
【図面の簡単な説明】
【００１３】
【図１】本発明の実施形態の１つである、ＡＶ機器システムにおけるタイマー予約の一構成例である。
【図２】入力機器となるＡＶ機器内で管理する予約データの一構成例である。
【図３】関連機器となるＡＶ機器内で管理する予約データの一構成例である。
【図４】ＡＶ機器システムにおいて入力機器又は関連機器内で管理される予約データの実例である。
【図５】タイマー予約処理を行うフローチャートである。
【図６】タイマー予約処理における入力機器の画面例である。
【図７】タイマー予約処理が実行できない旨を通知するときの入力機器の画面例である。
【図８】タイマー予約処理において、関連機器の予約状況を表示するときの入力機器の画面例である。
【図９】タイマー予約処理において、指定時間に重複した予約がある旨を通知するときの入力機器の画面例である。
【図１０】タイマー予約済みの番組予約一覧を表示するときの入力機器の画面例である。
【図１１】タイマー予約済みの番組予約一覧を表示するときの関連機器の画面例である。
【図１２】ＡＶ機器システム構成の変化時に各ＡＶ機器が予約内容のチェックを行うフローチャートである。
【図１３】入力機器あるいは関連機器が使用できない状態である旨を通知するときの画面例である。
【図１４】制御バスで接続された各ＡＶ機器間で通信するためのコマンドパケット、およびレスポンスパケットの一構成例である。
【図１５】有料番組をタイマー録画する場合のタイマー予約状況例である。
【図１６】放送番組の時間変更に伴い、次の予約番組が重なる旨を通知するときの画面例である。
【図１７】本発明の他の実施形態であるＡＶ機器システムの一構成例である。
【図１８】タイマー予約済みの番組予約一覧を表示するときの入力機器の画面例である。
【図１９】タイマー予約済みの予約一覧を表示するときの関連機器の画面例である。
【図２０】本発明の他の実施形態であるＡＶ機器システムの一構成例である。
【図２１】各ＡＶ機器内で管理する予約データの一構成例である。
【発明を実施するための形態】
【００１４】
本発明をより詳細に説明するため、添付の図面に従って、これを説明する。なお、以下に説明する実施形態は、バス使用確保技術のうちタイマー予約における機器使用確保のケースに関するものであるが、機器の使用を確保し、重複した機器使用要求を回避できるものであればタイマー予約に限ることなく、如何なるケースも含まれるものである。第１図は、本発明を説明するためのＡＶ機器システムにおけるタイマー予約の一構成例を示した図である。
【００１５】
この例では、通信衛星を利用した放送番組を受信する衛星放送受信機１００ａ、１００ｂと、磁気テープに映像や音声等のＡＶデータを記録するビデオテープレコーダーやＤＶＤ、ＨＤ、ＭＯ等の磁気ディスクや光ディスクにＡＶデータを記録する録画装置１１０と
、テレビ受信機やパソコン用ディスプレイなどのモニタ１２０とが、ＩＥＥＥ１３９４シリアルバスやＵＳＢなどのバス１０で接続されたＡＶ機器システムを構成している。
【００１６】
以下、衛星放送受信機１００ａに対して操作者から「録画装置１１０に衛星放送番組をタイマー録画」予約が指示された場合に、衛星放送受信機１００ａと録画装置１１０において、タイマー予約とその実行を行う方法について説明する。
【００１７】
最初に、衛星放送受信機１００ａと、録画装置１１０の構成について説明する。なお、衛星放送受信機１００ｂは、衛星放送受信機１００ａと同様の構成を備える。
衛星放送受信機１００ａは、リモコンやタブレットなどの入力指示装置を用いて操作者からのタイマー予約設定や表示などのやり取りを行うユーザインタフェース部１０１、バス１０経由で他の機器（この場合は、衛星放送受信機１００ｂ、録画装置１１０、モニタ１２０）とＡＶデータや制御信号を通信するための通信インタフェース部１０２、衛星放送番組を受信するための衛星放送チューナー部１０３、タイマー予約に関する処理を行うタイマー予約部１０４、受信した放送番組をモニタ１２０上に再生するための再生部１０７
、衛星放送受信機１００ａ内の各部の動作を制御する制御部１０８とで構成される。
【００１８】
タイマー予約部１０４は、タイマー予約に関するデータを管理する予約データ管理部１０５と、予約時間になるとアラームなどで通知する時刻管理部１０６とで構成される。
【００１９】
録画装置１１０は、リモコンやタブレットなどの入力指示装置を用いて操作者からの録画や再生、タイマー予約、表示などのやり取りを行うューザインタフェース部１１１、バス１０経由で他の機器（この場合は、衛星放送受信機１００ａ、１００ｂ、モニタ１２０
）とデータや制御信号を通信するための通信インタフェース部１１２、ＶＨＦ／ＵＨＦ放送を受信するためのＶＨＦ／ＵＨＦチューナー部１１３、ＶＨＦ／ＵＨＦ放送番組のタイマー予約に関する処理を行うタイマー予約部１１４、放送番組などのＡＶデータを磁気テープや光ディスクなどの記録メディア上に記録するための記録部１１７、記録メディア上に記録されたＡＶデータを再生するための再生部１１８、録画装置１１０の動作を制御する録画装置制御部１１９から構成される。
【００２０】
タイマー予約部１１４は、タイマー予約に関するデータを管理する予約データ管理部１１５と、予約時間になるとアラームなどで通知する時刻管理部１１６から構成される。
次に、第２図、第３図を用いて、上記衛星放送受信機１００ａの予約データ管理部１０５
、および録画装置１１０の予約データ管理部１１５で管理する予約データの一構成について説明する。
【００２１】
まず、本実施形態において操作者によりタイマー予約が指示される衛星放送受信機１００ａ（入力機器）では、機器使用情報は、予約ＩＤ２０１、予約時間（開始／終了時刻）２０２、関連機器ＩＤ２０３、各種の設定情報２０４のデータ構成をとり、これで１予約を管理する予約データとなる。
【００２２】
予約ＩＤ２０１は、入力機器１００ａ内で管理される予約データを識別するための識別子であり、予約の設定順や日時順などで唯一の番号を割り付ける。予約時間２０２は、要求された予約時間（開始／終了時刻）である。関連機器ＩＤ２０３は、予約の実行時に連携して動作する機器（関連機器）固有の識別子である。
【００２３】
本実施形態の場合は、録画装置１１０固有のＩＤである。連携して動作する機器が必要ない場合は、自分のＩＤ（衛星放送受信機１００ａのＩＤ）やＩＤとして使用されない値を設定する。関連機器が複数存在する場合は、それらの機器全てのＩＤを設定する。各種の設定情報２０４は、入力機器と関連機器が連携してタイマー予約を設定、実行するために必要な情報、例えば、再生か録画かという実行機能の種別、チャンネル番号、ＳＰ、ＬＰ、ＥＰといった録画速度モード、アナログかデジタルかという録画モードなどである。
【００２４】
次に、予約実行時に衛星放送受信機１００ａと連携して動作する録画装置１１０（関連機器）では、予約ＩＤ３０１、予約時間（開始／終了時刻）３０２、入力機器ＩＤ３０３
、関連機器の各種設定情報３０４のデータ構成で１予約を管理する。
【００２５】
予約ＩＤ３０１は、関連機器１１０内で管理される予約データを識別するための識別子であり、予約の設定順や日時順などで唯一の番号を割り付ける。予約時間３０２は、要求された予約時間（開始／終了時刻）である。入力機器ＩＤ３０３は、予約を受け付け、実行時に連携して動作する機器（入力機器）固有の識別子である。
【００２６】
本実施形態の場合は、衛星放送受信機１００ａ固有のＩＤである。自分で予約を受け付け、連携して動作する機器が必要ない場合は、録画装置１１０のＩＤやＩＤとして使用されない値を設定する。各種の設定情報３０４は、録画装置１１０がタイマー予約を設定、実行するために必要な情報、例えば、再生か録画かという実行機能、ＳＰ、ＬＰ、ＥＰといった録画速度モード、アナログかデジタルかという録画モードなどである。
【００２７】
次に、第４図、第５図を用いて、上記ＡＶ機器システムでタイマー予約処理を行う手順について説明する。最初に、操作者により衛星放送受信機１００ａに対してリモコン、入力タブレットなどの入力指示装置を利用してユーザインタフェース部１０１を介してタイマー予約指示と予約内容４００を入力し（ステップ５０１）、その予約実行が衛星放送受
信機１００ａ以外の他の機器と連携して行われる内容の場合にその制御対象となる関連機器（本実施形態では録画装置１１０）を決定する（ステップ５０２）。
【００２８】
第６図に、ステップ５０１、ステップ５０２において、モニタ１２０やリモコンの液晶画面に表示される画面例を示す。まず、操作者によりリモコン６００上の番組ガイド指示器６０１を指示すると、番組ガイドを表示した画面６１０を表示する。画面６１０上で、方向指示器６０２を用いて予約番組が選択し、登録指示器６０６で登録を指示すると、実行機能を選択する画面６２０を表示する。画面６２０上で、方向指示器６０２を用いて予約の実行機能（再生か録画）を選択し、決定指示器６０４で決定を指示する。ここで、録画を選択すると、録画する機器、すなわち関連機器を選択する画面６３０を表示する。画面６３０上には、バス１０に接続された機器のうち、録画機能を備えた機器に関する情報（ＶＴＲやＤＶＤといった種類、製造会社名等）が表示される。
【００２９】
本実施形態のシステム（第１図）の場合、バス上の録画装置は１台だけなので、録画装置１１０に関する情報のみが表示される。
【００３０】
ここで、決定指示器６０４で決定を指示すると、テープ速度や録画モードを選択する画面６４０が表示される。画面６４０上でテープ速度、録画モードを選択し、決定指示器６０４で決定を指示すると、録画予約に関する情報設定は完了する。
【００３１】
次に、衛星放送受信機１００ａ内のタイマー予約部１０４は、制御部１０８、通信インターフェース部、バスを介して、関連機器（録画装置１１０）のタイマー予約部１１４に対して指定予約時間に使用予定があるか否か、すなわち予約データを予約データ管理部１１５に格納できるか否かを問い合わせる（ステップ５０３）。このとき、少なくとも関連
機器を使用しようとする使用開始時間と使用終了時間の情報を送信することで問い合わせを行うが、使用予定を問い合わせと同時に、予約データそのものの内容を送信するようにしても良い。
【００３２】
その結果、録画装置１１０から指定時間に使用予定がない旨が通知された場合には、入力された予約内容４００を元に、予約データ管理部１０５は予約データ４１０を作成し、管理する（ステップ５０４）。ここで、予約データ４１０は、入力機器１００ａ内での予
約データのＩＤ４１１と、予約内容４００における予約時間４１２と、バス上における関連機器１１０固有のＩＤ４１３と、実行機能、チャンネル番号、番組名、テープ速度、録画モードの各種設定情報４１４から構成される。
【００３３】
それと同時に、入力機器１００ａは、予約データ４２０を作成するために必要な情報を関連機器１１０のタイマー予約部１１４に送信し、予約データ４００の設定要求を発行する（ステップ５０５）。これに対し、設定要求を受信した関連機器１１０のタイマー予約
部１１４では、予約データ４２０を作成し、予約データ管理部１１５で管理する。
【００３４】
ここで、予約データ４２０は、関連機器１１０内での予約データのＩＤ４２１と、予約内容４００における予約時間４２２と、バス上における入力機器１００ａ固有のＩＤ４２３と、実行機能、チャンネル番号、番組名、テープ速度、録画モードの各種設定情報４２４から構成される。
【００３５】
ステップ５０３において、関連機器１１０から指定時間に使用予定がある旨が通知た場合には、操作者に対してタイマー予約をやり直すか否かを問い合わせ（ステップ５０６）
、やり直す場合はステップ５０１に戻り、やり直さない場合は処理を終了する。第７図に
、操作者に対する問い合わせをするときの画面例を示す。画面７００上で、選択項目７０１を指示するとステップ５０１に戻り、選択項目７０２を指示すると処理を終了する。
【００３６】
ここで、ステップ５０２において、関連機器１１０に関する情報は、入力機器１００ａの制御部１０８が、バスリセット時や定期的にバス上に存在し関連機器となる機器を取得し、管理する。関連機器がバス１０上に１台しか存在しない場合は、自動的にその機器を関連機器１１０として決定することができる。また、バス１０上に２台以上存在する場合は、それらの機器をモニタ１２０やリモコンの液晶画面などに表示し、予約する毎に操作者により決定することもできる。
【００３７】
また、制御部１０８で管理する関連機器に対して予め各機器の使用優先順位を決めておき、それを制御部１０８で記憶し、それを参照して自動的に機器を決定することもできる
。また、関連機器に搭載された記録媒体（ＶＨＳテープ、ＳＶＨＳテープ、光磁気ディスクなど）や操作者から指定された録画モード（アナログ、デジタルなど）により、制御部１０８が管理する関連機器情報の中から自動的に適切な機器を決定することもできる。
【００３８】
例えば、操作者によりデジタル録画が指示されると、制御部１０８は関連機器情報の中からデジタル録画が可能でＳＶＨＳテープが搭載されているものを選出し、それを関連機器とする。また、ステップ５０３において、衛星放送受信機１００ａが関連機器１１０のタイマー予約部１１４で管理されている予約データ３００を読み出し、指定予約時間に使用予定があるかをチェックすることもできる。第８図は、入力機器１００ａが関連機器１１０の予約状況を表示する一例である画面８００を示している。
【００３９】
また、ステップ５０５において、衛星放送受信機１００ａの予約データ管理部１０５が予約データ４２０を作成し、録画装置１１０のタイマー予約部１１４に対して送信すると
、関連機器１１０のタイマー予約部１１４にて予約データ４２０予約データ管理部１１５に設定するようにすることもできる。さらに、衛星放送受信機１００ａ内の制御部１０８が直接関連機器１１０の予約データ管理部１１５に予約データ４２０を設定することもできる。
【００４０】
また、ステップ５０６において、既に録画装置１１０側に使用予定がある場合、予定を操作者に通知し、どちらの予約を優先させるかを決定することもできる。その場合、取り消された予約については、取り消された側の機器が予約に関する予約データを持つ機器全ての予約データを削除するようにする。
【００４１】
第９図に、操作者に予約が重複している旨を通知し、どちらを優先させるか決定してもらう画面例９００を示す。画面９００上で、選択項目９０１を指示すると、衛星放送受信機１００ａのタイマー予約部１０４は録画装置１１０のタイマー予約部１１４に対して既に設定済みの予約を削除する要求を送信する。これに対し、録画装置１１０のタイマー予約部１１４は、予約データ管理部１１５から予約に関する予約データを取得し、予約データを削除するとともに、予約に係る予約データを持つ機器全ての予約データを削除する。
【００４２】
選択項目９０２を指示すると、画面６１０〜６４０で指示したタイマイ予約を取り消す
。また、衛星放送番組などの有料番組に対しては自動的に予約を優先させるなど、入力機器１００ａの制御部１０８に予め優先順位を格納し、タイマー予約時にその内容を参照する方法など、重複予約に対する各種の調停処理を行うことも当然可能である。
【００４３】
次に、第１０図に、入力機器、すなわち衛星放送受信機１００ａにおいて、タイマー予約設定済みの予約内容一覧を表示する画面例を示す。
【００４４】
まず、操作者によりリモコン６００上の確認指示器６０５を指示すると、タイマー予約部１０４は、衛星放送受信機１００ａ内の予約データ管理部１０５に格納された予約データ２００を読みだし、ユーザインタフェース部１０１を介してモニタ１２０上に画面１０００を表示する。画面１０００上には、１予約について、予約番号、日付、予約時間、チャンネル、番組名、実行する機能などの項目で表示する。さらに詳しい内容を見るために詳細指示器６０３を指示すると、画面１０２０が表示される。画面７２０上には、画面１０００上で表示できなかった項目を含んだ内容が表示される。
【００４５】
次に、タイマー予約設定済みの内容を変更する場合の処理について説明する。
【００４６】
画面１０００上に表示する予約内容の中から、任意の予約を選択し、変更指示器６０６で変更を指示すると、予約の変更画面１０１０を表示する。画面１０１０上で予約の削除
、あるいは時間や実行機能などの変更が指示されると、衛星放送受信機１００ａ内のタイマー予約部１０４は、予約データ管理部１０５に格納された予約に関する内容を削除、あるいは変更を行う。そして、予約実行時に連携して動作する他の機器（この場合録画装置１１０）のタイマー予約部１１４に対して、予約に関する予約データの内容を削除、あるいは変更するように要求する。
【００４７】
これに対し、録画装置１１０のタイマー予約部１１４では、予約データ管理部１１５に格納された予約に関する予約データを検索し、その内容を削除あるいは変更を行う。ここで、衛星放送受信機１００ａのタイマー予約部１０４が、録画装置１１０内の予約データ管理部１１６に格納された予約データを取得し、その中から予約に関する予約データを検索し、その内容を削除あるいは変更を行った後、再度予約データ管理部１１５に書き込むこともできる。
【００４８】
また、第１１図に、関連機器、すなわち録画装置１１０において、タイマー予約設定済みの予約内容一覧を表示する画面例を示す。
【００４９】
操作者により予約内容の確認あるいは変更が指示されると、録画装置１１０内のタイマー予約部１１４は、予約データ管理部１１５に格納された予約情報を読みだし、ユーザインタフェース部１１１を介してモニタ１２０上に画面１１００を表示する。画面１１００上には、録画装置１１０内蔵のＶＨＦ／ＵＨＦチューナー部１１３から受信する放送番組のタイマー録画予約と、衛星放送受信機１００ａ、１００ｂで受信する放送番組のタイマー録画予約とが同時に表示される。両者の区別は、第８図の１１１０に示すように★印を付加したり、受信機名を表示するなどで行う。
【００５０】
次に、バスリセットがかかったり、接続機器が引き抜かれたりするなどＡＶ機器システムの構成が変化した場合の処理について、第１２図を用いて説明する。まず、ＡＶ機器システムの構成の変化を認識した各機器のタイマー予約部１０４、１１４は、予約データ管理部１０５、１１５で管理された予約データ２００あるいは３００を読み込み（ステップ１２０１）、各内容のチェックを行う。そして、予約データ内の入力機器ＩＤ３０３ある
いは関連機器ＩＤ２０３を参照し、その値が自分の機器ＩＤ以外であれば、入力機器ＩＤ３０３あるいは関連機器ＩＤ２０３が示す機器に対して状態（存在するか、あるいは使用可能であるかなど）を問い合わせる（ステップ１２０２）。その結果、問い合わせ先の機
器が使用できない状態であれば、予約データを実行できない旨を操作者に通知し、予約の取り消しを行う、あるいは自動的に予約データを削除する（ステップ１２０３）。
【００５１】
これにより、システム構成が変化した場合でも、それに応じて予約データを円滑に管理することができる。第１３図に、問い合わせ先の機器が使用できない状態にそれを操作者に通知する画面例１３００を示す。画面１３００上で、選択項目１３０１を指示すると、タイマー予約部１０４、１１４は、予約データを削除する。選択項目１３０２を指示すると、問い合わせ機器が使用できる状態になるまで画面１３００の表示を続ける。
【００５２】
次に、ステップ５０３、ステップ５０５、ステップ１２０２において、バス１０上で衛星放送受信機１００ａから録画装置１１０への問い合わせ、および録画装置１１０から衛星放送受信機１００ａへの応答を伝送するための制御信号のパケット構造について、その一構成例を第１４図に示す。
【００５３】
衛星放送受信機１００ａから録画装置１１０に対して予約データの設定や取得を要求する場合は、コマンドパケット１４００を利用する。コマンドパケット１４００は、コマンド送信元アドレス１４０１、コマンド送信元サブユニットのアドレス１４０２、コマンド受信先アドレス１４０３、コマンド受信先サブユニットのアドレス１４０４、コマンド内容１４０５から構成される。
【００５４】
コマンド送信元アドレス１４０１は、送信コマンドを発行する機器のバス１０上における唯一のアドレスを示し、本実施形態の場合は、衛星放送受信機１００ａのバス１０上におけるアドレスである。
【００５５】
コマンド送信元サブユニットのアドレス１４０２は、コマンドを発行する機器内の機能単位（チューナー部やタイマー予約部等）のアドレスである。本実施形態の場合は、衛星放送受信機１００ａ内のタイマー予約部１０４のアドレスである。
コマンド受信先アドレス１４０３は、コマンドを受信する機器のバス１０上における唯一のアドレスを示し、本実施形態の場合は、録画装置１１０のバス１０におけるアドレスとなる。
【００５６】
コマンド受信先サブユニットのアドレス１４０４は、コマンドを受信する機器内の機能単位（チューナー部やタイマー予約部等）のアドレスである。本実施形態の場合は、録画装置１１０内のタイマー予約部１１４のアドレスである。コマンド内容１４０５は、コマンド受信先のタイマー予約部（この場合、録画装置１１０内のタイマー予約部１１４）に対する予約データの書き込み要求や読み出し要求、変更要求とその内容を示す。これに対し、録画装置１１０から衛星放送受信機１００ａへの応答は、レスポンスパケット１４１０を利用する。
【００５７】
レスポンスパケット１４１０は、レスポンス送信元アドレス１４１１、レスポンス送信元サブユニットのアドレス１４１２、レスポンス受信先アドレス１４１３、レスポンス受信先サブユニットのアドレス１４１４、レスポンス内容１４１５から構成される。
レスポンス送信元アドレス１４１１は、レスポンスを発行する機器のバス１０上における唯一のアドレスを示し、本実施形態の場合は、録画装置１１０のバス１０上におけるアドレスとなる。
【００５８】
レスポンス送信元サブユニットのアドレス１４１２は、レスポンスを発行する機器内の機能単位（チューナー部やタイマー予約部等）のアドレスである。本実施形態の場合は、録画装置１１０内のタイマー予約部１１４のアドレスである。レスポンス受信先アドレス１４１３は、レスポンスを受信する機器のバス１０上における唯一のアドレスを示し、本実施形態の場合は衛星放送受信機１００ａのバス１０におけるアドレスとなる。
【００５９】
レスポンス受信先サブユニットのアドレス１４１４は、レスポンスを受信する機器内の機能単位（チューナー部やタイマー予約部等）のアドレスである。本実施形態の場合は、衛星放送受信機１００ａ内のタイマー予約部１０４のアドレスである。
【００６０】
レスポンス内容１４１５は、レスポンス受信先のタイマー予約部（この場合、録画装置１１０内のタイマー予約部１１４）に対する予約データの書き込み要求や読み出し要求、変更要求に対して、予約データの内容や変更結果などの応答を示す。
【００６１】
以上のように、本実施形態では、衛星放送受信機１００ａ、１００ｂと録画装置１１０が制御バス１０で接続されたシステムにおいて、衛星放送受信機１００ａ、１００ｂと録画装置１１０に予約データ管理部１０５、１１５を含むタイマー予約部１０４、１１４を設け、バス１０上で存在する全タイマー予約の中で各々に関わる予約を実行する全機器が各々で管理する。
【００６２】
例えば、上述したように、衛星放送受信機１００ａでタイマー予約が指示されると、タイマー予約部１０４は、予約データの内容を予約データ管理部１０５に格納すると同時に
、連携して動作する録画装置１１０の予約データ管理部１１５に対しても格納処理を行う
。
これにより、衛星放送受信機１００ａ、録画装置１１０以外の機器、例えば衛星放送受信機１００ｂで、録画装置１１０と連携して動作するタイマー予約指示があった場合、録画装置１１０の予約データ管理部１１５に対して問い合わせを行うだけで、バス１０上に存在する録画装置１１０を使用した予約状況を全て把握することができる。
【００６３】
また、後に詳述するが、別の機器から衛星放送受信機１００ａと連係して動作するタイマー予約指示があった場合には、衛星放送受信機１００ａの予約データ管理部１０５に対して問い合わせを行うだけで、バス１０上に存在する衛星放送受信機１００ａを使用した予約状況を全て把握することができる。
【００６４】
また、予約データ管理部１０５、１１５で格納する予約データは、入力機器ＩＤ３０３
、あるいは関連機器ＩＤ２０３を含んだ構成とする。これにより、各予約データを予約した機器や連携して予約を実行する機器を識別することができるため、システムの構成変更や予約の重複時や変更時に予約を取り消す処理などを行う際の対処が容易になる。
【００６５】
ここで、予約の実施形態としては、予約実行時間になると、衛星放送受信機１００ａ及び録画装置１１０がそれぞれ格納した予約データに基づいて個別にそれぞれの予約実行を行う構成をとることができる。また、衛星放送受信機１００ａに録画装置１１０をリモート制御する機能を備え、予約実行時間になると衛星放送受信機１００ａが録画装置１１０をリモート制御して予約実行を行う構成をとることもできる。この場合、衛星放送受信機１００ａ内の予約データ管理部１０５で管理する予約データ２００内には、関連機器ＩＤ２０３に加え、機器をリモート制御するか否かを示すデータを追加しても良い。
【００６６】
また、録画装置１１０内の予約データ管理部１１５で管理する予約データ３００内には
、入力機器ＩＤ３０３に加え、機器によりリモート制御されるか否かを示すデータを追加しても良い。
【００６７】
次に、第１５図を用いて、衛星放送番組など有料番組のタイマー録画予約について説明する。
【００６８】
上述のタイマー予約手順にしたがって、衛星放送受信機１００ａ内の予約データ管理部１０５では、予定開始時刻１５０１、予定終了時刻１５０２であるスポーツ中継などの有料番組１５１０と、その後に予定開始時刻１５０４の番組１５２０の予約データが格納されているものとする。
【００６９】
タイマー予約部１０４は、予約されている有料番組１５１０の予定開始時刻１５０１が数分前になると、最も新しい番組ガイドなどを取得し、番組１５１０が予定通りの時刻に開始されるか否かをチェックする。ここで、タイマー予約部１０４は一定の時間間隔で新しい番組ガイドを取得する方法もある。
【００７０】
番組１５１０が予定通りの時間に開始される場合は、予定開始時刻１５０１になると、録画装置１１０と連携して番組の録画を開始する。
【００７１】
これに対し、番組１５１０が予定より遅れて開始される場合は、その終了時刻を取得し
、後に予約されている番組１５２０の予定開始時刻１５０４と終了時刻が重複しないかチェックする。そして、重複する場合は、その旨を操作者に通知する。
【００７２】
第１６図に、モニタ１２０に表示する画面例１６００を示す。画面１６００上で選択項目１６０１を指示すると、衛星放送受信機１００ａ内のタイマー予約部１０４は、予約番組１５１０に関する予約データ２００内の予約時間２０２を変更し、予約番組１５２０に関する予約データ２００を削除する。それと同時に、録画装置１１０内のタイマー予約部１１４に対して、予約番組１５１０に関する予約データ３００内の予約時間３０２の変更要求と予約番組１５２０に関する予約データ２００の削除要求を送信する。
【００７３】
これに対し、録画装置１１０内のタイマー予約部１１４は、予約データ管理部１１５に格納された予約番組１５１０に関する予約データ３００内の予約時間３０２を変更し、予約番組１５２０に関する予約データ３００を削除する。選択項目１６０２を指示した場合には、予約番組１５２０は途中から録画されることになるが、どちらを優先させるかを操作者が選択することもできる。
【００７４】
次に、予定開始時刻１５０１から予約番組１５１０の録画が開始され、その予定終了時刻１５０２の数分前になると、衛星放送受信機１００ａ内のタイマー予約部１０４は、最も新しい番組ガイドなどを取得し、番組１５１０が予定通りの時刻１５０２に終了するか否かをチェックする。ここで、タイマー予約部１０４は、一定の時間間隔で新しい番組ガイドを取得する方法もある。
【００７５】
番組１５１０が予定通りの時間に終了する場合は、予定終了時刻１５０２になると、録画装置１１０と連携して番組の録画を終了する。
これに対し、スポーツ中継のように、番組１５１０が予定終了時刻より延長される場合、衛星放送受信機１００ａ内のタイマー予約部１０４は、モニタ１２０上に画面１６００を表示するなど、その旨を操作者に通知する。そして、画面１６００上で選択項目１６０１が指示されると、衛星放送受信機１００ａ内のタイマー予約部１０４は、予約番組１５２０に関する予約データ２００を削除し、録画装置１１０内のタイマー予約部１１４に対して予約番組１５２０に関する予約テータ２００の削除要求を送信する。
【００７６】
そして、予約番組１５１０が終了するまで監視し、番組１５１０が終了すると、その旨を録画装置１１０内のタイマー予約部１１４に送信する。これに対し、録画装置１１０内のタイマー予約部１１４は、予約データ管理部１１５に格納された予約番組１５２０に関する予約データ３００を削除する。そして、衛星放送受信機１００ａより番組終了の通知があるまで録画を継続する。選択項目１６０２が指示されると、予約番組１５２０は途中から録画、あるいは、どちらを優先させるかを操作者に選択してもらう。
【００７７】
以上から、予約番組の予期しない時間延長が発生した場合でも、柔軟に対応できる。以上説明した例では、操作者に通知して予約データ２００を削除するようにしたが、予約データ１５１０を設定するときに予め優先順位をつけておき、番組延長等の不慮の予約データの変更があった場合には、この優先順位に基づいてタイマー予約部が自動的に予約データ２００を削除するようにすることもできる。
【００７８】
ここで、上述のシステム構成では、衛星放送受信機１００ａが入力機器となり、録画装置１００が関連機器であったが、録画装置１１０が入力機器となり、衛星放送受信機１００ａが関連機器となる構成も考えられる。この場合、録画装置１１０でタイマー予約が指示され、録画装置１１０内の予約データ管理部１１５と衛星放送受信機１００ａ内の予約データ管理部１０５に予約データを格納する。録画装置１１０内の予約データ管理部１１５では予約データ２００を、衛星放送受信機１００ａ内の予約データ管理部１０５では予約データ３００を管理するようにした点が異なるのみで、一連の処理手順については先の実施形態で説明したものと同様となる。
【００７９】
次に、第１７図に示すように、色々な機器がバス接続されたシステムの場合について説明する。
【００８０】
システムは、パーソナルコンピュータ（以下、ＰＣ）１７０１、ＤＶＤを再生あるいは記録するＤＶＤ録画再生装置１７０２、ＭＤを再生あるいは記録するＭＤ録音再生装置１７０３、衛星放送を受信する衛星放送受信機１７０４、磁気テープを再生あるいは記録するＶＴＲ１７０５、ケーブル放送を受信するケーブル放送受信機１７０６、ＡＶデータを表示するＴＶなどのモニタ１７０７から構成される。
【００８１】
各機器１７０１〜１７０７には、前述のタイマー予約部を備える。そして、入力機器となる機器は、操作者よりタイマー予約指示があると、予約データ２００を生成して機器内のタイマー予約部に格納すると同時に、連携して動作する関連機器に対しても予約データ３００を生成し機器内のタイマー予約部に格納することを要求する。これにより、入力機器となる機器は、目的とする関連機器をタイマー予約する際には、関連機器のタイマー予約部に対してのみ、使用できるか否かを間い合わせるだけで良い。
【００８２】
第１８図に、衛星放送受信機１７０４に対して、タイマー予約状況を確認する際に表示される番組予約一覧画面１８００を示す。画面１８００上には、タイマー予約部で管理されている予約データ２００を読み出し、予約データ２００に関する情報（日付、予約時間
、チャンネル、番組名、実行機能）を表示する。ここで、本システムでは、録画する装置として、ＤＶＤ１７０２、ＭＤ１７０３、ＶＴＲ１７０５がある。画面１８００では、実行機能が録画の場合に、１８０１で示すように、予約データ２００内の関連機器ＩＤ２０３を参照して、どの機器に録画するかを表示する。
【００８３】
これと同様に、ＤＶＤ１７０２では、情報を供給する機器として、ＰＣ１７０１、衛星放送受信機１７０４、ケーブル放送受信機１７０６がある。従って、第１９図に示すように、ＤＶＤ１７０２に対してタイマー予約状況を確認する際に表示される画面１９００では、予約データ３００内の入力機器ＩＤ３０３を参照して、予約内容を供給する機器に関する情報１９０１を表示することも可能である。
【００８４】
さらに、第２０図に示すように、衛星放送受信機とＶＴＲが一体型になり、入力および関連機器としての機能を備えている場合について説明する。本システムは、衛星放送受信機−ＶＴＲ一体型装置２０００、ＤＶＤ２０２０、モニタ２０３０、ケーブル放送受信機２０４０から構成される。
【００８５】
まず、衛星放送受信機−ＶＴＲ一体型装置２０００の構成について説明する。一体型装置２０００は、リモコンやタブレットなどの入力指示装置を用いて操作者からの録画や再生、タイマー予約、表示などのやり取りを行うユーザインタフェース部２００１、バス１０経由で他の機器（この場合は、ＤＶＤ２０２０、モニタ２０３０、ケーブル放送受信機２０４０）とデータや制御信号を通信するための通信インタフェース部２００２、衛星放送を受信する衛星放送チューナー部２００３、ＶＨＦ／ＵＨＦ放送を受信するＶＨＦ／ＵＨＦチューナー部２００４、放送番組などを磁気テープに記録する記録部２００５、磁気テープに記録されたＡＶデータを再生したり実際に放送番組をモニタ２０３０上に再生する再生部２００６、各構成部の動作を制御する制御部２００７、衛星放送番組やＶＨＦ／ＵＨＦ放送番組のタイマー予約に関する処理を行うタイマー予約部２０１０から構成される。
【００８６】
ここで、制御部２００７は、衛星放送やＶＨＦ／ＵＨＦ放送を視聴するための制御を行うチューナ制御部２００８と、放送番組などを録画したり再生するための制御を行うＶＴＲ制御部２００９を含んだ構成になる。
【００８７】
また、タイマー予約部２０１０は、前述と同様に、予約データ管理部２０１１、時刻管理部２０１２から構成される。一体型装置２０００は、放送番組をＤＶＤ２０２０にタイマー録画する場合は、入力機器として動作することができ、またケーブル放送受信機２０４０で受信した番組を一体型装置２０００にタイマー録画する場合は、関連機器として動作することが可能となる。この場合に、予約データ管理部２０１１で管理する予約データの一構成例を第 図２１に示す。
【００８８】
予約データ２１００は、予約ＩＤ２１０１、予約時間（開始／終了時刻）２１０２、入力機器ＩＤ２１０３、関連機器ＩＤ２１０４、各種の設定情報２１０５から構成される。予約ＩＤ２１０１は、予約データ管理部２０１１で管理する予約データを識別するための唯一の識別子である。予約時間２１０２は、要求された予約時間（開始／終了時刻）である。
【００８９】
入力機器ＩＤ２１０３は、予約を受け付け、実行を行う機器のバス１０上における唯一の識別子である。放送番組をＤＶＤ２０２０にタイマ−録画する場合、入力機器は一体型装置２０００であるので、一体型のＩＤを設定する。ケーブル放送受信機２０４０で受信した番組を一体型装置２０００にタイマー録画する場合、入力機器はケーブル放送受信機２０４０であるので、ケーブル放送受信機２０４０のＩＤを設定する。
【００９０】
関連機器ＩＤ２１０４は、予約に対して連携して動作する機器のバス１０上における唯一の識別子である。放送番組をＤＶＤ２０２０にタイマー録画する場合、関連機器はＤＶＤ２０２０であるので、ＤＶＤのＩＤを設定する。ケーブル放送受信機２０４０で受信した番組を一体型装置２０００にタイマー録画する場合、関連機器は一体型装置２０００であるので、一体型装置２０００のＩＤを設定する。
【００９１】
各種の設定情報２１０５は、タイマー予約を設定、実行するために必要な情報、例えば
、再生か録画かという実行機能、チャンネル番号、ＳＰ、ＬＰ、ＥＰといった録画速度モード、アナログかデジタルかという録画モードなどである。
【００９２】
以上により、予約を受け付け、実行する入力機器ＩＤ２１０３、および連携して動作する関連機器ＩＤ２１０４を含む予約データ２１００を、予約データ管理部２０１１で管理することにより、予約がどこで実行され、どの機器と連携して動作するかを把握することができ、各機器間でタイマー予約の管理が容易になる。
【００９３】
また、タイマー予約を行う場合、各機器の時間の調整が必要となる。そこで、上述のタイマー予約システムにおいて、バス上の同期転送のバンド幅、チャネル制御や電力管理などを行う機器（例えば、ＩＥＥＥ１３９４を使用したシステムの場合、バスマネージャ、あるいはＩｓｏｃｈｒｏｎｏｕｓ Ｒｅｓｏｕｒｃｅマネージャを備え、ルートとなる機器）や、チューナーなど外部の放送局などから時間情報を取得し、時間調整を行うことができる機器が、時刻管理部１０６、１１６の入力機器となり、定期的にバス上に接続された各機器の時間調整を行う方法が考えられる。
【００９４】
また、タイマー予約を実行する機器と連携して動作する機器が、タイマー予約が指示された際にタイマーの入力機器に対して時間調整を依頼、あるいは時間を取得して自分で調整するという方法が考えられる。
【００９５】
以上、本発明の特徴は、入力機器となるＡＶ機器に対してタイマー予約指示が入力されると、必要な予約データを自分のタイマー予約部に設定すると同時に、関連機器に対しても必要な予約データを設定することにある。これにより、各機器は、自分以外の機器でタイマー予約が設定された場合でも柔軟に対応することができるようになる。
上記実施例には以下に示す課題を解決するという目的のために、少なくとも以下に記載の内容が開示されている。
第１のＡＶ機器に対して、タイマー予約等の機器使用情報が指示され、バス使用時に第１のＡＶ機器と関連して動作する機器となる第２のＡＶ機器が決定されると、両者をつなぐバスを介して第２のＡＶ機器に対してその第２のＡＶ機器を使用しようとする開始時間から終了時間における第２のＡＶ機器の使用の可否を問い合わせる。
第２のＡＶ機器では、バスを介して、この問合わせに対して、第２のＡＶ機器の機器使用情報格納手段により格納された機器使用情報と照合して機器使用の可否を決定し、第１のＡＶ機器に返答する。
指定した時間に第２のＡＶ機器の使用が可能である場合、第１のＡＶ機器は、第１のＡＶ機器の機器使用情報格納手段に機器使用情報を格納し、第２のＡＶ機器の機器使用情報格納手段にもその機器使用情報を格納する。一方、その使用が不可能な場合には、第１のＡＶ機器は、その使用の取り消し、あるいは不可能である原因を第２のＡＶ機器に問い合わせ、重複した機器の使用の要求がある場合にはどちらを有効にするかを決定するなどの処理を行う。
機器使用の実行は、第１のＡＶ機器、第２のＡＶ機器において、機器使用実行時間、あるいはその数分前になったら通知するようにし、機器使用の実行を行わせるようにする。
また、第１のＡＶ機器に対して機器使用の内容の変更を行う場合には、第１のＡＶ機器は、既に第１のＡＶ機器の機器使用情報格納手段に格納されている機器使用情報を読み出して、表示手段に表示させる。そして、任意の機器使用情報を変更することにより、その機器使用情報の変更に影響される第２のＡＶ機器に対して変更を通知する。第２のＡＶ機器では、第２のＡＶ機器の機器使用情報を機器使用情報格納手段より読み出し、機器使用情報の変更を行う。
【産業上の利用可能性】
【００９６】
本発明に係る機器使用技術は、各ＡＶ機器が自分以外のＡＶ機器で設定された、バス上に存在する全機器使用情報の中から自機器が関わる全ての情報について把握することができるようにすることで、コントロール先の関連機器に対してのみバス使用内容の問い合わせを行えば、バス上に存在する機器使用情報で関連機器に関わる全情報について取得することができるようになるため、機器使用の重複などの不具合を回避し、バス上の機器使用の整合性を保持するのに適している。
【符号の説明】
【００９７】
１００ａ…衛星放送録画装置、１００ｂ…衛星放送録画装置、１１０…録画装置、１２０…モニタ
【図１】
0005402989.tif 000002
【図２】
0005402989.tif 000003
【図３】
0005402989.tif 000004
【図４】
0005402989.tif 000005
【図５】
0005402989.tif 000006
【図６】
0005402989.tif 000007
【図７】
0005402989.tif 000008
【図８】
0005402989.tif 000009
【図９】
0005402989.tif 000010
【図１０】
0005402989.tif 000011
【図１１】
0005402989.tif 000012
【図１２】
0005402989.tif 000013
【図１３】
0005402989.tif 000014
【図１４】
0005402989.tif 000015
【図１５】
0005402989.tif 000016
【図１６】
0005402989.tif 000017
【図１７】
0005402989.tif 000018
【図１８】
0005402989.tif 000019
【図１９】
0005402989.tif 000020
【図２０】
0005402989.tif 000021
【図２１】
0005402989.tif 000022